(57)【要約】【課題】長い釘であっても大きく曲げることなしに簡単に引き抜くことができ、構造が単純で製造コストのかからないうえにコンパクトな釘抜き工具を提供する。【解決手段】先端部に釘Ｋが係合可能な切り欠き部１１ａを設けた作用部１１と把持用の柄部１２とを支点部１３を介して略Ｌ字形状に連設するとともに、前記柄部１２に、前記釘Ｋの頭部が挿通可能な挿通孔１６と、該挿通孔１６の周縁を切り欠いて設けられ前記釘Ｋが係合可能な切り欠き部１５ａと、からなる第２作用部１５を形成する。【選択図】図１
2013166228.tif 000002
【特許請求の範囲】
【請求項１】
先端部に釘が係合可能な切り欠き部を設けた作用部と、該作用部に連設された把持用の柄部と、該柄部と前記作用部との間に設けられた支点部と、を有する釘抜き工具において、
前記柄部に、前記釘の頭部が挿通可能な挿通孔と、該挿通孔の周縁を切り欠いて設けられ前記釘が係合可能な切り欠き部と、からなる第２作用部を形成したことを特徴とする釘抜き工具。
【請求項２】
前記第２作用部が、前記柄部の長手方向に沿って複数の位置に設けられたことを特徴とする請求項１に記載の釘抜き工具。
【請求項３】
前記第２作用部の挿通孔周縁に切り欠かれる切り欠き部が、前記柄部の長手方向に沿い、かつ対向する位置にそれぞれ形成されていることを特徴とする請求項１に記載の釘抜き工具。
【発明の詳細な説明】
【技術分野】
【０００１】
本発明は、釘抜き作業に使用される工具に関する。
【背景技術】
【０００２】
先端に釘が係合可能な切り欠き部が設けられた作用部と把持用の柄部とが略L字形状に連設された釘抜き工具は、既に広く市場に供されている。
【０００３】
このような従来の釘抜き工具は、木材等に打ち込まれた釘を切り欠き部に係合してこれを作用点、屈曲部の外側を支点、柄部を力点とし、第１種梃子の原理で釘を引き抜いている。しかしながら、釘を円弧状に曲げながら引き抜いているために、長い釘の場合は途中で曲がりが大きくなり過ぎて最後まで抜ききることができないという欠点があった。そのため、通常は引き抜き作業の途中で支点となる屈曲部の下に嵩上げ部材を差し込むなどして支点の位置を上げなければならず、事前にそのための用意をしておかなくてはならないという面倒があった。
【０００４】
そこで、この欠点を補うものとして、例えば特許文献１や特許文献２に開示される提案がなされている。
【０００５】
このうち特許文献１の提案は、釘係合部を突設した可動部材を昇降可能に柄に取り付け、ボルト等で適宜位置に固定できるようにしたものであり、特許文献２の提案は、バール本体に軸挿着部と称する筒体を設け、該筒体内を下端部に支台を有する高さ調整軸が上下方向に可動し支点の位置を変更可能としたものである。
【０００６】
これらは、いずれも支点と作用点との距離を引き抜き作業の途中で変更することによって、板材等の嵩上げ部材を事前に準備する手間なしに長い釘を引き抜くことができるようになっている。
【先行技術文献】
【特許文献】
【０００７】
【特許文献１】実開平５−７４７７９号公報
【特許文献１】特開平１０−９４９７６号公報
【発明の概要】
【発明が解決しようとする課題】
【０００８】
しかしながら、提案されたこれらの釘抜き工具は、いずれも構造が複雑なために製造しにくく、また、嵩張るので保管や持ち運びの際に不便であるという欠点があった。
【０００９】
本発明は、かかる従来釘抜き工具の欠点を鑑みてなされたものであって、その目的は、長い釘でも面倒な準備をすることなく容易に引き抜くことができ、嵩張らず、しかも構造が単純で製造しやすい釘抜き工具を提供することにある。
【課題を解決するための手段】
【００１０】
かかる目的を達成するために本発明の釘抜き工具は、先端部に釘が係合可能な切り欠き部を設けた作用部と、該作用部に連設された把持用の柄部と、該柄部と前記作用部との間に設けられた支点部と、を有する釘抜き工具において、
前記柄部に、前記釘の頭部が挿通可能な挿通孔と、該挿通孔の周縁を切り欠いて設けられ前記釘が係合可能な切り欠き部と、からなる第２作用部を形成したことを特徴としている。
【００１１】
こうした構成をとることによって本発明にかかる釘抜き工具は、作用点・支点・力点の順に並ぶいわゆる第１種梃子の原理を利用した従来型の釘抜き工具の柄部に第２作用部が形成されていることによって、力点としてだけではなく作用点としても機能可能となり、その際には、支点・作用点・力点の順に並ぶ第２種梃子の原理を利用した釘抜き工具として使うことができる。また、第２作用部は、柄部に設けられているために支点から作用点までの距離を長く設定することができ、長い釘であっても大きく曲がることなく最後まで抜ききることができる。
【００１２】
なお、前記第２作用部は、前記柄部の、長手方向に沿った複数の位置に設けてもよい。
【００１３】
こうした構成をとることによって、段階的に釘を引き上げていくことが可能となり、相当に長い釘であっても曲げずに引き抜くことができるという利点が生じる。
【００１４】
また、前記第２作用部の挿通孔周縁に切り欠かれる前記切り欠き部は、前記柄部の長手方向に沿って対向する位置にそれぞれ形成してもよい。
【００１５】
こうした構成をとることによって、柄部の先端側と基端側との２ヶ所に支点部を設定することができ、第２作用部からそれぞれの支点部までの距離を異なるものとすることによって段階的に釘を引き上げていくことが可能となり、相当に長い釘であっても曲げずに引き抜くことができるという利点が生じる。
【発明の効果】
【００１６】
本発明によれば、長い釘でも面倒な準備をすることなく引き抜くことができ、嵩張らず、しかも構造が単純で製造コストのかからない釘抜き工具を提供することができる。
【図面の簡単な説明】
【００１７】
【図１】本発明にかかる釘抜き工具の第１実施形態を示す側面図。
【図２】同、斜視図。
【図３】同、使用説明図。
【図４】本発明にかかる釘抜き工具の第２実施形態を示す斜視図。
【図５】同、使用説明図。
【図６】本発明にかかる釘抜き工具の第３実施形態を示す側面図。
【図７】同、斜視図。
【図８】同、使用説明図。
【発明を実施するための形態】
【００１８】
以下、本発明にかかる釘抜き工具の実施形態を図に基づき説明するが、これに限定されるものではない。なお、ここでは便宜上、柄部を基準として、作用部が設けられた側を前方、反対側を後方または背側として説明している。
【００１９】
≪第１実施形態≫
図１ないし図３は本発明にかかる釘抜き工具の第１実施形態を示しており、図１は側面図、図２は斜視図、図３（ａ）、（ｂ）はその使用説明図である。
【００２０】
図において、釘抜き工具１０は、全体が炭素工具鋼や合金工具鋼等により一体に形成されており、釘の引き抜き作業をおこなう作用部１１と、該作用部１１の後部から上方に向かって立設された把持用の柄部１２と、で構成され、全体側面視で略Ｌ字形状をなしている。
【００２１】
このうち作用部１１は、水平方向前方に進むにつれて肉薄となるように楔状に形成されており、その先端縁の幅方向略中央からは奥方向（後方）に向かって幅狭となる平面視略Ｖ字形状の切り欠き部１１ａが設けられている。この切り欠き部１１ａは釘Ｋを係合して引き上げるためのものであって、その形状は特には問わず、例えば略Ｕ字形状であってもよく、対向する切欠き縁の中程がそれぞれ幅方向外側に膨らむような曲線で形成されたものであってもよく、要は釘をしっかりと係合することができるものであればその形状は特に問わない。
【００２２】
なお、ここでいう「略Ｖ字形状の切り欠き」とは、正確には、釘Ｋの頭部が位置する側の面はやや大きめの略Ｕ字形状に、釘Ｋの先端部側が位置する面は略Ｖ字形状に形成されており、略Ｕ字形状面から略Ｖ字形状面に向かってなだらかに切り欠かれているものであるが、煩雑であるため、これを略Ｖ字形状と称している。以下も同様とする。
【００２３】
作用部１１のうち、その底部は、前方から下方にかけて支点部１３としてスムーズに機能するために側面視で大きく丸められており、さらにその幅方向両下端縁もそれぞれ丸められて第２支点部１４としての役割を果すようなっている。
【００２４】
なお、梃子の支点として機能するためには必ずしも丸めておく必要はないが、抜き取り作業の際に一点に力が集中すると釘Ｋが打ち込まれている木材等の表面が損傷してしまうため、このような処理をして力を分散させることが望ましい。かかる理由によって以降に説明する他の支点部も全て同様の処理をしているが、これに限定されるものではない。
【００２５】
さらに、作用部１１のうち、後部は、柄部１２が立設する位置よりも後方にわずかに突出し、その後端面は金鎚などで前方に向かって打撃することができるように平坦状に形成されている。
【００２６】
つぎに柄部１２は、作用部１１の後部から立設し、前後方向を幅広にとった厚板状をしており、その幅方向（前後方向）両端縁部は補強用と美観を兼ねて長手方向に沿って肉厚に形成され、その中央部の長手方向中程には第２作用部１５が設けられている。なお、この第２作用部１５から第２支点部１４からまでの距離は、作用部１１から支点部１３までの距離よりも長くとられており、梃の原理で柄部１２を動かした時に第２作用部１５がなす動作曲線は作用部１１のそれよりも緩やか円弧を描くようになっている。
【００２７】
この第２作用部１５は、詳しくは、釘Ｋの頭部が挿通可能に穿設された挿通孔１６と、この挿通孔１６の周縁部から長手方向に沿って下方すなわち作用部１２に向かう方向に切り欠かれた略Ｖ字形状の切り欠き部１５ａとからなっている。なお、この切り欠き部１５ａは作用部１１に設けられた切り欠き部１１ａと同様に釘Ｋを確実に係合することができるものであればその形状は特に問わない。
【００２８】
また、柄部１２の上端部からは、主としてこじ開け作業や小さな釘を抜き取るために使用される副作用部１９が延設されており、この副作用部１９の先端部にも第１作用部１１や第２作用部１５と同様に切り欠き部１９ａが設けられている。
【００２９】
かかる構成をもつ本第１実施形態の釘抜き工具１０は、以下のようにして使用する。
【００３０】
まず、第１段階として木材やパネル等に打ち込まれている釘Ｋの頭部と打ち込み面との間に作用部１１の先端部をこじ入れるなどして僅かな隙間を設け、切り欠き部１１ａを差し込んで釘Ｋに係合させる。
【００３１】
そして、図３（ａ）に示すように、支点部１３を支点とし、柄部１２を後方に向かって円弧状に動かすことによって第１種梃の原理で打ち込まれた釘Ｋを少し引き上げる。なお、図３については使用説明図であることから、煩雑さを避けるため要部のみに符号を付している。これは以降の実施形態の使用説明図についても同様である。
【００３２】
つぎに第２段階として、釘Ｋと係合している切り欠き部１１ａを外し、釘抜き工具１０を横倒しにする。そののち、第２作用部１５の挿通孔１６内に釘Ｋを頭部から差し込み、切り欠き部１５ａに係合させる。
【００３３】
最後に、第３段階として図３（ｂ）に示すように、作用部１１の下側縁となる第２支点部１４を支点として柄部１２を持ち上げ、今度は第２種梃子の原理で釘Ｋを引き上げ、抜ききって作業を終える。
【００３４】
既に述べたように第２支点部１４から第２作用部１５までの距離は、作用部１１から支点部１３までの距離に比して長くとられており、第２作用部１５における作用点の動作曲線は作用部１１における作用点の動作曲線よりも緩やかな円弧となる。したがって、引き抜き作業の途中で作用点を第２作用部１５側に変更して引き抜かれた釘Ｋは、作用部１１のみを用いて引き抜かれた場合に比して曲がりが少なく、簡単な修正作業で再利用することもできる。また、曲がりが少ないということはすなわち引き抜き時における力のロスも少ないということでもあり、本発明の大きな利点となっている。
【００３５】
なお本発明の利点としては、さらに、柄部１２に付加される第２作用部１５は単に穿設するだけで形成することができるために新たな部材を取り付けるなどの面倒がなく、製造が簡単であるうえに嵩張りも生じないといった点も挙げることができる。
【００３６】
≪第２実施形態≫
図４ないし図５は本願発明をバールに適用した場合の第２実施形態を示しており、図４は斜視図、図５（ａ）〜（ｃ）はその使用説明図である。
【００３７】
図において、釘抜き工具（すなわちバール）２０は、釘の引き抜き作業をおこなう作用部２１と該作用部２１の後端部から上方に向かって略Ｌ字形状に屈曲して連設された把持用の柄部２２とで構成されている。
【００３８】
このうち作用部２１は、第１実施形態の作用部１１と同様に水平方向前方に進むにつれて肉薄となるように楔状に形成されており、その先端縁の幅方向略中央からは奥方向（後方）に向かって幅狭となる平面視略Ｖ字形状の切り欠き部２１ａが設けられている。また、作用部２１の後端は上方に向かってゆるやかに屈曲しており、釘引き抜き作業の際の支点部２３としての役割を果すようになっている。
【００３９】
つぎに柄部２２は、前記作用部２１の後端から上方に向かって延設された角柱形状をしており、その角部は握り易いようにそれぞれ面取りされて断面視略八角形状となっている。さらに、この柄部２２の長手方向の下から約１／３程と２／３程の位置には、幅方向に膨出し正面視で略小判形状をなす作用部用の台座２２ａ・２２ｂがそれぞれ形成されており、ここに第２作用部２５および第３作用部２７がそれぞれ設けられている。
【００４０】
この第２作用部２５・第３作用部２７は、台座２２ａ・２２ｂの前面から後面に抜けて穿設され釘Ｋの頭部が挿通可能な挿通孔２６・２８と、この挿通孔２６・２８の周縁部から長手方向に沿って下方すなわち作用部２１に向かう方向に切り欠かれた略Ｖ字形状の切り欠き部２５ａ・２７ａとからなっており、作用部２１で少し引き上げた釘Ｋをさらに段階的に引き上げていく役割を担うものである。
【００４１】
また、柄部１２の上端からは、主としてこじ開け作業に用いられる薄板形状のヘラ部２９が延設されている。
【００４２】
かかる構成をもつ本第２実施形態の釘抜き工具２０は、以下のようにして使用する。
【００４３】
まず第１段階として、第１実施形態と同様に木材やパネル等に打ち込まれている釘Ｋの頭部と打ち込み面との間に作用部２１の先端部をこじ入れるなどして僅かな隙間を設け、切り欠き部２１ａを差し込んで釘Ｋに係合させる。
【００４４】
そして、図５（ａ）に示すように、支点部２３を支点とし、柄部２２を後方に向かって円弧状に倒すことによって第１種梃子の原理で打ち込まれた釘Ｋを少し引き上げる。
【００４５】
つぎに第２段階として、釘Ｋと係合している切り欠き部２１ａを外し、第２作用部２５の挿通孔２６に釘Ｋを頭部から差し込み、切り欠き部２５ａを係合させる。そして、図５（ｂ）に示すように柄部２２を持ち上げ、第２種梃子の原理で釘Ｋを適宜位置まで引き上げる。
【００４６】
最後に第３段階として、釘Ｋを切り欠き部２５ａから外し、第３作用部２７の挿通孔２８に釘Ｋを差し込んで切り欠き部２７ａを係合させる。そして、図５（ｃ）に示すように再び柄部２２を持ち上げることによって第２種梃子の原理で釘Ｋを引き上げ、抜ききって作業を終える。
【００４７】
このように、本第２実施形態の釘抜き工具２０には柄部２２の長手方向に沿う２つの作用部（第２作用部２５・第３作用部２７）が設けられており、段階的に釘Ｋを引き上げることができる。したがって、相当に長い釘であっても大きく変形させることなく引き抜き作業をおこなうことができるという利点がある。
【００４８】
なお、ここでは柄部２２に設けた作用部は２つであるが、これに限定されるものではなく、柄部２２の長さに応じてさらに多くの位置に設けてもよい。また、その位置すなわち支点部からの距離も特に限定されるものではない。
【００４９】
また、本実施形態での第２作用部２５および第３作用部２７は作用部２１と同じ向きにあり、引き抜き作業の際の支点は支点部２３を共有している。このように同じ向きに作用部を形成した場合、引き抜き作業の際の支点は同じものを共有することが可能となり、他の位置に支点部を形成するなどの手間を必要としないという利点が生じる。
【００５０】
≪第３実施形態≫
図６ないし図８は本願発明を金鎚に適用した場合の第３実施形態を示しており、図６は側面図、図７は斜視図、図８（ａ）〜（ｃ）はその使用説明図である。
【００５１】
図において、釘抜き工具（すなわち金鎚）３０は、一端側に釘の引き抜き作業をおこなう作用部３１、他端側に打撃部９１、を有する頭部９２と、該頭部９２の長手方向略中央部から立設する柄部３２とで構成されており、全体側面視で逆Ｔ字形状をなしている。
【００５２】
このうち頭部９２についてさらに詳しく説明すると、一端側（前方）に設けられた作用部３１は、水平方向前方に進むにつれて反り上がるとともに肉薄となるよう形成されており、その先端縁の幅方向略中央からは奥方向（後方）に向かって幅狭となる平面視略Ｖ字形状の切り欠き部３１ａが設けられている。この作用部３１の底面反り上がり部は、支点部３３としての役割をもっている。また、他端側に設けられた打撃部９１は釘Ｋを木材等に打ち込むために使用するもので、後方に向かって突出する円柱形状に形成されている。さらに、頭部９２中央部の下側縁部は丸められており、第２支点部３４ａとしての役割を有する。
【００５３】
柄部３２は、前記頭部９２の長手方向（前後方向）略中央部から立設し、前後方向にやや幅広な角柱形状に形成されたもので、上部の略半分は滑り止め用のグリップ８３で覆われている。なお、柄部３２の上端部はこのグリップ８３の上端部から露出して丸められており、第３支点部３４ｂとしての役割を果すようになっている。そして、柄部３２の高さ方向中央よりやや下方すなわちグリップ８３の先端縁（下端縁）から少し下の位置には、第２作用部３５が生成されている。
【００５４】
本第３実施形態では、この第２作用部３５は、柄部３２の側面から側面に渡って釘の頭部が捜通可能に穿設された捜通孔３６と、該捜通孔３６の周縁から下方（頭部９２側）に向かって略Ｖ字形状に切り欠かれた切り欠き部３５ａと、同じく前記捜通孔３６の周縁の、前記切り欠き部３５ａ対向する位置から上方（柄部３２の基端側）に向かって略Ｖ字形状に切り欠かれた切り欠き部３５ｂと、で構成されたものとなっている。すなわち捜通孔３６を中心に上下２ヶ所の相対する位置に切欠き部３５ａ・３５ｂがそれぞれ配設された形態となっている。そして、第２支点部３４ａから切り欠き部３５ａまでの距離は、第３支点部３４ｂから切り欠き部３５ｂまでの距離よりも短く設定されている。
【００５５】
こうした構成をとることによって、この第２作用部３５は、１ヶ所のみの形成で頭部９２側と柄部３２基端側との２ヶ所をそれぞれ支点として第２実施形態と同様に段階的な抜き取り作業をおこなうことができるようになっている。
【００５６】
なお、柄部３２と頭部９２とは一体に形成されたものであってもよいが、それぞれを別体とし、既知の結合手段（例えば溶接やカシメ、ボルト等による締結）を用いて連結したものであってもよく、その製造方法は特に問わない。
【００５７】
かかる構成をもつ本第３実施形態の釘抜き工具３０は、以下のようにして使用する。
【００５８】
まず第１段階として、第１実施形態や第２実施形態と同様に木材やパネル等に打ち込まれている釘Ｋの頭部と打ち込み面との間に作用部３１の先端部をこじ入れるなどして僅かな隙間を設け、切り欠き部３１ａを差し込んで釘Ｋに係合させる。
【００５９】
そして、図８（ａ）に示すように、支点部３３を支点とし、グリップ８３を握って柄部３２を後方（背側）に円弧状に動かすことによって第１種梃子の原理で打ち込まれた釘Ｋを少し引き上げる。
【００６０】
つぎに第２段階として、釘Ｋと係合している切り欠き部３１ａを外し、第２作用部３５の挿通孔２６に釘Ｋを差し込み、切り欠き部３５ａに係合させる。そして、図８（ｂ）に示すように、柄部３２側を持ち上げて第２種梃子の原理で釘Ｋを適宜位置まで引き上げる。
【００６１】
最後に第３段階として、釘Ｋと係合している切り欠き部３５ａを外し、対向する位置にある切り欠き部３５ｂと係合させる。そして、今度は図８（ｃ）に示すように頭部９２側を持ち上げ、手順第２段階と同様に第２種梃子の原理で釘Ｋを引き上げ、抜ききって作業を終える。
【００６２】
以上説明したように、本第３実施形態の第２作用部３５には、捜通孔３６を中心とし対向する２つの切り欠き部３５ａ・３５ｂが形成されており、それぞれの支点部までの距離が異なるために段階的に釘Ｋを引き上げることができる。したがって、第２実施形態と同様に相当に長い釘であっても大きく曲げることなく引き抜き作業をおこなうことができる。
【符号の説明】
【００６３】
１０、２０、３０・・・釘抜き工具
１１、２１、３１・・・作用部
１２、２２、３２・・・柄部
１３、２３、３３・・・支点部
１４、３４・・・・・・第２支点部
１５、２５、３５・・・第２作用部
Ｋ・・・・・・・・・・釘
【図１】
2013166228.tif 000003
【図２】
2013166228.tif 000004
【図３】
2013166228.tif 000005
【図４】
2013166228.tif 000006
【図５】
2013166228.tif 000007
【図６】
2013166228.tif 000008
【図７】
2013166228.tif 000009
【図８】
2013166228.tif 000010
【手続補正書】
【提出日】平成24年5月26日(2012.5.26)
【手続補正１】
【補正対象書類名】特許請求の範囲
【補正対象項目名】全文
【補正方法】変更
【補正の内容】
【特許請求の範囲】
【請求項１】
把持用に略長板形状に形成された柄部と、該柄部の長手方向一端部に柄部の幅方向外側に向かって突設され先端部に釘が係合可能な切り欠き部を設けた作用部と、該作用部と前記柄部との間に設けられた支点部と、を有する釘抜き工具において、
前記柄部の厚み方向一面側から他面側に向かって穿設され前記釘の頭部が挿通可能な挿通孔と、該挿通孔の周縁を切り欠いて設けられ前記釘が係合可能な切り欠き部と、からなる第２作用部を形成するとともに、
前記作用部の少なくとも一方の側縁に前記第２作用部用の第２支点部を設けたことを特徴とする釘抜き工具。
【手続補正２】
【補正対象書類名】明細書
【補正対象項目名】全文
【補正方法】変更
【補正の内容】
【発明の詳細な説明】
【技術分野】
【０００１】
本発明は、釘抜き作業に使用される工具に関する。
【背景技術】
【０００２】
先端に釘が係合可能な切り欠き部が設けられた作用部と把持用の柄部とが略L字形状に連設された釘抜き工具は、既に広く市場に供されている。
【０００３】
このような従来の釘抜き工具は、木材等に打ち込まれた釘を切り欠き部に係合してこれを作用点、屈曲部の外側を支点、柄部を力点とし、第１種梃子の原理で釘を引き抜いている。しかしながら、釘を円弧状に曲げながら引き抜いているために、長い釘の場合は途中で曲がりが大きくなり過ぎて最後まで抜ききることができないという欠点があった。そのため、通常は引き抜き作業の途中で支点となる屈曲部の下に嵩上げ部材を差し込むなどして支点の位置を上げなければならず、事前にそのための用意をしておかなくてはならないという面倒があった。
【０００４】
そこで、この欠点を補うものとして、例えば特許文献１や特許文献２に開示される提案がなされている。
【０００５】
このうち特許文献１の提案は、釘係合部を突設した可動部材を昇降可能に柄に取り付け、ボルト等で適宜位置に固定できるようにしたものであり、特許文献２の提案は、バール本体に軸挿着部と称する筒体を設け、該筒体内を下端部に支台を有する高さ調整軸が上下方向に可動し支点の位置を変更可能としたものである。
【０００６】
これらは、いずれも支点と作用点との距離を引き抜き作業の途中で変更することによって、板材等の嵩上げ部材を事前に準備する手間なしに長い釘を引き抜くことができるようになっている。
【先行技術文献】
【特許文献】
【０００７】
【特許文献１】実開平５−７４７７９号公報
【特許文献１】特開平１０−９４９７６号公報
【発明の概要】
【発明が解決しようとする課題】
【０００８】
しかしながら、提案されたこれらの釘抜き工具は、いずれも構造が複雑なために製造しにくく、また、嵩張るので保管や持ち運びの際に不便であるという欠点があった。
【０００９】
本発明は、かかる従来釘抜き工具の欠点を鑑みてなされたものであって、その目的は、長い釘でも面倒な準備をすることなく容易に引き抜くことができ、嵩張らず、しかも構造が単純で製造しやすい釘抜き工具を提供することにある。
【課題を解決するための手段】
【００１０】
かかる目的を達成するために本発明の釘抜き工具は、把持用に略長板形状に形成された柄部と、該柄部の長手方向一端部に柄部の幅方向外側に向かって突設され先端部に釘が係合可能な切り欠き部を設けた作用部と、該作用部と前記柄部との間に設けられた支点部と、を有する釘抜き工具において、
前記柄部の厚み方向一面側から他面側に向かって穿設され前記釘の頭部が挿通可能な挿通孔と、該挿通孔の周縁を切り欠いて設けられ前記釘が係合可能な切り欠き部と、からなる第２作用部を形成するとともに、
前記作用部の少なくとも一方の側縁に前記第２作用部用の第２支点部を設けたことを特徴としている。
【００１１】
こうした構成をとることによって本発明にかかる釘抜き工具は、作用点・支点・力点の順に並ぶいわゆる第１種梃子の原理を利用した従来型の釘抜き工具の柄部に第２作用部が形成されていることによって、力点としてだけではなく作用点としても機能可能となり、その際には、支点・作用点・力点の順に並ぶ第２種梃子の原理を利用した釘抜き工具として使うことができる。また、第２作用部は、柄部に設けられているために支点から作用点までの距離を長く設定することができ、長い釘であっても大きく曲がることなく最後まで抜ききることができる。
【発明の効果】
【００１２】
本発明によれば、長い釘でも面倒な準備をすることなく引き抜くことができ、嵩張らず、しかも構造が単純で製造コストのかからない釘抜き工具を提供することができる。
【図面の簡単な説明】
【００１３】
【図１】本発明にかかる釘抜き工具の第１実施形態を示す側面図。
【図２】同、斜視図。
【図３】同、使用説明図。
【発明を実施するための形態】
【００１４】
以下、本発明にかかる釘抜き工具の実施形態を図に基づき説明するが、これに限定されるものではなく、例えば頭部に釘抜きの付いた金鎚などに適用したものであってもよい。なお、ここでは便宜上、柄部を基準として、作用部が設けられた側を前方、反対側を後方または背側として説明している。
【００１５】
≪第１実施形態≫
図１ないし図３は本発明にかかる釘抜き工具の第１実施形態を示しており、図１は側面図、図２は斜視図、図３（ａ）、（ｂ）はその使用説明図である。
【００１６】
図において、釘抜き工具１０は、全体が炭素工具鋼や合金工具鋼等により一体に形成されており、釘の引き抜き作業をおこなう作用部１１と、該作用部１１の後部から上方に向かって立設された把持用の柄部１２と、で構成され、全体側面視で略Ｌ字形状をなしている。
【００１７】
このうち作用部１１は、水平方向前方に進むにつれて肉薄となるように楔状に形成されており、その先端縁の幅方向略中央からは奥方向（後方）に向かって幅狭となる平面視略Ｖ字形状の切り欠き部１１ａが設けられている。この切り欠き部１１ａは釘Ｋを係合して引き上げるためのものであって、その形状は特には問わず、例えば略Ｕ字形状であってもよく、対向する切欠き縁の中程がそれぞれ幅方向外側に膨らむような曲線で形成されたものであってもよく、要は釘をしっかりと係合することができるものであればその形状は特に問わない。
【００１８】
なお、ここでいう「略Ｖ字形状の切り欠き」とは、正確には、釘Ｋの頭部が位置する側の面はやや大きめの略Ｕ字形状に、釘Ｋの先端部側が位置する面は略Ｖ字形状に形成されており、略Ｕ字形状面から略Ｖ字形状面に向かってなだらかに切り欠かれているものであるが、煩雑であるため、これを略Ｖ字形状と称している。以下も同様とする。
【００１９】
作用部１１のうち、その底部は、前方から下方にかけて支点部１３としてスムーズに機能するために側面視で大きく丸められており、さらにその幅方向両下端縁もそれぞれ丸められて第２支点部１４としての役割を果すようなっている。
【００２０】
なお、梃子の支点として機能するためには必ずしも丸めておく必要はないが、抜き取り作業の際に一点に力が集中すると釘Ｋが打ち込まれている木材等の表面が損傷してしまうため、このような処理をして力を分散させることが望ましい。かかる理由によって以降に説明する他の支点部も全て同様の処理をしているが、これに限定されるものではない。
【００２１】
さらに、作用部１１のうち、後部は、柄部１２が立設する位置よりも後方にわずかに突出し、その後端面は金鎚などで前方に向かって打撃することができるように平坦状に形成されている。
【００２２】
つぎに柄部１２は、作用部１１の後部から立設し、前後方向を幅広にとった厚板状をしており、その幅方向（前後方向）両端縁部は補強用と美観を兼ねて長手方向に沿って肉厚に形成され、その中央部の長手方向中程には第２作用部１５が設けられている。なお、この第２作用部１５から第２支点部１４からまでの距離は、作用部１１から支点部１３までの距離よりも長くとられており、梃の原理で柄部１２を動かした時に第２作用部１５がなす動作曲線は作用部１１のそれよりも緩やか円弧を描くようになっている。
【００２３】
この第２作用部１５は、詳しくは、釘Ｋの頭部が挿通可能に穿設された挿通孔１６と、この挿通孔１６の周縁部から長手方向に沿って下方すなわち作用部１２に向かう方向に切り欠かれた略Ｖ字形状の切り欠き部１５ａとからなっている。なお、この切り欠き部１５ａは作用部１１に設けられた切り欠き部１１ａと同様に釘Ｋを確実に係合することができるものであればその形状は特に問わない。
【００２４】
また、柄部１２の上端部からは、主としてこじ開け作業や小さな釘を抜き取るために使用される副作用部１９が延設されており、この副作用部１９の先端部にも第１作用部１１や第２作用部１５と同様に切り欠き部１９ａが設けられている。
【００２５】
かかる構成をもつ本第１実施形態の釘抜き工具１０は、以下のようにして使用する。
【００２６】
まず、第１段階として木材やパネル等に打ち込まれている釘Ｋの頭部と打ち込み面との間に作用部１１の先端部をこじ入れるなどして僅かな隙間を設け、切り欠き部１１ａを差し込んで釘Ｋに係合させる。
【００２７】
そして、図３（ａ）に示すように、支点部１３を支点とし、柄部１２を後方に向かって円弧状に動かすことによって第１種梃の原理で打ち込まれた釘Ｋを少し引き上げる。なお、図３については使用説明図であることから、煩雑さを避けるため要部のみに符号を付している。これは以降の実施形態の使用説明図についても同様である。
【００２８】
つぎに第２段階として、釘Ｋと係合している切り欠き部１１ａを外し、釘抜き工具１０を横倒しにする。そののち、第２作用部１５の挿通孔１６内に釘Ｋを頭部から差し込み、切り欠き部１５ａに係合させる。
【００２９】
最後に、第３段階として図３（ｂ）に示すように、作用部１１の下側縁となる第２支点部１４を支点として柄部１２を持ち上げ、今度は第２種梃子の原理で釘Ｋを引き上げ、抜ききって作業を終える。
【００３０】
既に述べたように第２支点部１４から第２作用部１５までの距離は、作用部１１から支点部１３までの距離に比して長くとられており、第２作用部１５における作用点の動作曲線は作用部１１における作用点の動作曲線よりも緩やかな円弧となる。したがって、引き抜き作業の途中で作用点を第２作用部１５側に変更して引き抜かれた釘Ｋは、作用部１１のみを用いて引き抜かれた場合に比して曲がりが少なく、簡単な修正作業で再利用することもできる。また、曲がりが少ないということはすなわち引き抜き時における力のロスも少ないということでもあり、本発明の大きな利点となっている。
【００３１】
なお本発明の利点としては、さらに、柄部１２に付加される第２作用部１５は単に穿設するだけで形成することができるために新たな部材を取り付けるなどの面倒がなく、製造が簡単であるうえに嵩張りも生じないといった点も挙げることができる。
【符号の説明】
【００３２】
１０・・・釘抜き工具
１１・・・作用部
１２・・・柄部
１３・・・支点部
１４・・・第２支点部
１５・・・第２作用部
Ｋ・・・・釘
【手続補正３】
【補正対象書類名】図面
【補正対象項目名】図３
【補正方法】変更
【補正の内容】
【図３】
2013166228.tif 000011
【手続補正４】
【補正対象書類名】図面
【補正対象項目名】図４
【補正方法】削除
【補正の内容】
【手続補正５】
【補正対象書類名】図面
【補正対象項目名】図５
【補正方法】削除
【補正の内容】
【手続補正６】
【補正対象書類名】図面
【補正対象項目名】図６
【補正方法】削除
【補正の内容】
【手続補正７】
【補正対象書類名】図面
【補正対象項目名】図７
【補正方法】削除
【補正の内容】
【手続補正８】
【補正対象書類名】図面
【補正対象項目名】図８
【補正方法】削除
【補正の内容】